(57)【要約】【課題】  立ち上がりフラップの起立端部の近傍に位置する繊維集合層の吸収力を有効に利用できるようにして、漏れを確実に防止できるようにした使い捨て吸収性物品を提供する。【解決手段】  液体透過性の表面シート１１と液体不透過性の裏面シート１２との間に、吸収マット１３を具備して、上記吸収マット１３は、吸水性樹脂粉末１４を含み、パルプ繊維を含まないシート状吸水層１５と、パルプ繊維１６を主成分とする繊維集合層１７Ａ，１７Ｂとを、表面シート１１側から順に有しており、かつ、上記シート状吸水層１５は、吸水性樹脂粉末１４を内包した吸水性樹脂粉末存在領域１５ａと吸水性樹脂粉末１４を内包しない吸水性樹脂粉末非存在領域１５ｂとを有する使い捨て吸収性物品１０であって、上記シート状吸水層１５の両側に立ち上がりフラップ１８が設けられ、この立ち上がりフラップ１８の起立端部１８ａは、上記シート状吸水層１５の吸水性樹脂粉末非存在領域１５ｂ−１，１５ｂ−２に対応する表面シートに１１接合されている。【選択図】  図２
2005253851.tif 000002
【特許請求の範囲】
【請求項１】
液体透過性の表面シートと液体不透過性の裏面シートとの間に、吸収マットを具備して、上記吸収マットは、吸水性樹脂粉末を含み、パルプ繊維を含まないシート状吸水層と、パルプ繊維を主成分とする繊維集合層とを、表面シート側から順に有しており、かつ、上記シート状吸水層は、吸水性樹脂粉末を内包した吸水性樹脂粉末存在領域と吸水性樹脂粉末を内包しない吸水性樹脂粉末非存在領域とを有する使い捨て吸収性物品であって、
上記シート状吸水層の両側に立ち上がりフラップが設けられ、この立ち上がりフラップの起立端部は、上記シート状吸水層の吸水性樹脂粉末非存在領域に対応する表面シートに接合されていることを特徴とする使い捨て吸収性物品。
【請求項２】
液体透過性の表面シートと液体不透過性の裏面シートとの間に、吸収マットを具備して、上記吸収マットは、吸水性樹脂粉末を含み、パルプ繊維を含まないシート状吸水層と、吸水性樹脂粉末とパルプ繊維とを含む繊維集合層とを、表面シート側から順に有しており、かつ、上記シート状吸水層は、吸水性樹脂粉末を内包した吸水性樹脂粉末存在領域と吸水性樹脂粉末を内包しない吸水性樹脂粉末非存在領域とを幅方向に交互に有する使い捨て吸収性物品であって、
上記シート状吸水層の両側に立ち上がりフラップが設けられ、この立ち上がりフラップの起立端部は、上記シート状吸水層の吸水性樹脂粉末非存在領域に対応する表面シートに接合されていることを特徴とする使い捨て吸収性物品。
【請求項３】
上記立ち上がりフラップの起立端部の間の寸法をＸ、上記シート状吸水層の両側端部に位置する吸水性樹脂粉末非存在領域に最も近い吸水性樹脂粉末存在領域の間の寸法をＹとすると、上記ＸとＹの寸法関係が、Ｙ＝０．２Ｘ〜０．９Ｘであり、上記吸水性樹脂粉末存在領域の最外側縁から上記立ち上がりフラップの起立端部までの寸法をＺとすると、上記ＸとＺの寸法関係が、Ｚ＝０．０５Ｘ〜０．４Ｘであることを特徴とする請求項１または２に記載の使い捨て吸収性物品。
【発明の詳細な説明】
【技術分野】
【０００１】
本発明は、使い捨てオムツや使い捨てパンツなどの使い捨て吸収性物品に関するものである。
【背景技術】
【０００２】
従来技術（特許文献１，２参照）の改良として、本出願人は、図５に示すように、液体透過性の表面シート１と液体不透過性の裏面シート２との間に、吸収マット３を具備して、上記吸収マット３は、吸水性樹脂粉末４を含み、パルプ繊維を含まないシート状吸水層５と、吸水性樹脂粉末４とパルプ繊維６とを含む繊維集合層７Ａ，７Ｂとを、表面シート１側から順に有しており、かつ、上記シート状吸水層５は、吸水性樹脂粉末４を内包した吸水性樹脂粉末存在領域５ａと吸水性樹脂粉末４を内包しない吸水性樹脂粉末非存在領域５ｂとを交互に有することを特徴とする使い捨て吸収性物品を提案した（特願２００３−６７２６７号）。
【０００３】
かかる使い捨て吸収性物品は、長時間の使用が可能である高い吸収性能を有し、体液を吸収しても型崩れを起こしにくく、かつ逆戻りも起こし難い快適な着用感を有するという効果を有している。
【０００４】
ところで、上記シート状吸水層５の両側に立ち上がりフラップ８を設けて、この立ち上がりフラップ８の起立端部８ａを、上記シート状吸水層５の吸水性樹脂粉末存在領域５ａ−１，５ａ−２に対応する表面シート１に接着剤９等で接合することが考えられる。
【特許文献１】特開２００２―２２４１６１号公報
【特許文献２】国際公開第０１／８９４３９号パンフレット
【発明の開示】
【発明が解決しようとする課題】
【０００５】
しかしながら、吸水性樹脂粉末存在領域５ａは、尿を繰り返し吸収して膨潤すると、ブロッキングを起こして吸収速度が遅くなるために、吸水樹脂粉末存在領域５ａ−１，５ａ−２が上記立ち上がりフラップ８の起立端部８ａの近傍に位置すると、側臥位で繰り返し排尿した場合、膨潤した吸水性樹脂粉末４により吸収が阻害され、起立端部８ａの近傍に位置する繊維集合層７Ａ，７Ｂの吸収力を利用できなくなって、漏れにつながるという問題があった。
【０００６】
本発明は、上記問題を解消するためになされたもので、立ち上がりフラップの起立端部の近傍に位置する繊維集合層の吸収力を有効に利用できるようにして、漏れを確実に防止できるようにした使い捨て吸収性物品を提供することにある。
【課題を解決するための手段】
【０００７】
上記課題を解決するために、請求項１の発明は、液体透過性の表面シートと液体不透過性の裏面シートとの間に、吸収マットを具備して、上記吸収マットは、吸水性樹脂粉末を含み、パルプ繊維を含まないシート状吸水層と、パルプ繊維を主成分とする繊維集合層とを、表面シート側から順に有しており、かつ、上記シート状吸水層は、吸水性樹脂粉末を内包した吸水性樹脂粉末存在領域と吸水性樹脂粉末を内包しない吸水性樹脂粉末非存在領域とを有する使い捨て吸収性物品であって、
上記シート状吸水層の両側に立ち上がりフラップが設けられ、この立ち上がりフラップの起立端部は、上記シート状吸水層の吸水性樹脂粉末非存在領域に対応する表面シートに接合されていることを特徴とするものである。
【０００８】
請求項２の発明は、液体透過性の表面シートと液体不透過性の裏面シートとの間に、吸収マットを具備して、上記吸収マットは、吸水性樹脂粉末を含み、パルプ繊維を含まないシート状吸水層と、吸水性樹脂粉末とパルプ繊維とを含む繊維集合層とを、表面シート側から順に有しており、かつ、上記シート状吸水層は、吸水性樹脂粉末を内包した吸水性樹脂粉末存在領域と吸水性樹脂粉末を内包しない吸水性樹脂粉末非存在領域とを幅方向に交互に有する使い捨て吸収性物品であって、
上記シート状吸水層の両側に立ち上がりフラップが設けられ、この立ち上がりフラップの起立端部は、上記シート状吸水層の吸水性樹脂粉末非存在領域に対応する表面シートに接合されていることを特徴とするものである。
【０００９】
請求項３の発明は、請求項１または２に記載の使い捨て吸収性物品であって、上記立ち上がりフラップの起立端部の間の寸法をＸ、上記シート状吸水層の両側端部に位置する吸水性樹脂粉末非存在領域に最も近い吸水性樹脂粉末存在領域の間の寸法をＹとすると、上記ＸとＹの寸法関係が、Ｙ＝０．２Ｘ〜０．９Ｘであり、上記吸水性樹脂粉末存在領域の最外側縁から上記立ち上がりフラップの起立端部までの寸法をＺとすると、上記ＸとＺの寸法関係が、Ｚ＝０．０５Ｘ〜０．４Ｘであることを特徴とするものである。
【発明の効果】
【００１０】
本発明によれば、立ち上がりフラップの起立端部をシート状吸水層の吸水性樹脂粉末非存在領域に対応する表面シートに接合することにより、立ち上がりフラップの起立端部の近傍には、吸水性樹脂粉末存在領域が無くなって繊維集合層のみとなるから、側臥位状態においても立ち上がりフラップの起立端部の近傍に位置する繊維集合層の吸収力を有効に利用できるので、排尿時の漏れを確実に防止できるようになる。
【００１１】
また、本発明は、高い吸収性能を有しているため、長時間使用する場合であっても、逆戻りを低レベルに抑制でき、着用者の肌を汚染することなく、清潔に保つことができる。
【００１２】
請求項２の発明の繊維集合層は、吸水性樹脂粉末とパルプ繊維とを含む構成であるのに対して、請求項１の発明の繊維集合層は、パルプ繊維を主成分とする構成である。これは、親水性繊維であるパルプ繊維の吸収速度を利用できることがポイントであり、必ずしも吸収性樹脂粉末が存在する必要が無いことによる。しかし、吸収性樹脂粉末が有ると、繊維集合層の吸収容量が大きくなって尿等が逆戻りしにくくなるので、より好ましい。
【００１３】
請求項１の発明のシート状吸水層は、吸水性樹脂粉末存在領域と吸水性樹脂粉末非存在領域とを有する構成であるのに対して、請求項２の発明は、吸水性樹脂粉末存在領域と吸水性樹脂粉末非存在領域とを幅方向に交互に有する構成である。これは、吸水性樹脂粉末存在領域と吸水性樹脂粉末非存在領域とを幅方向に交互に有する必要は無いことによる。しかし、吸水性樹脂粉末存在領域と吸水性樹脂粉末非存在領域とを幅方向に交互に有する方が製造しやすいとともに、尿等を繰り返し吸収しても吸収速度を保つつ逆戻りしにくくなるので、より好ましい。
【発明を実施するための最良の形態】
【００１４】
以下、本発明を実施するための最良に形態について、図面を参照しながら詳細に説明する。
【００１５】
図１は使い捨て吸収性物品１０の平面図、図２は図１のＡ−Ａ線断面図、図３はシート状吸水層１５の断面図である。
【００１６】
上記使い捨て吸収性物品１０は、液体透過性の表面シート１１と液体不透過性の裏面シート１２との間に、吸収マット１３を具備して、上記吸収マット１３は、吸水性樹脂粉末１４を含み、パルプ繊維を含まないシート状吸水層１５と、吸水性樹脂粉末１４とパルプ繊維１６とを含む繊維集合層１７Ａ，１７Ｂとを、表面シート１１側から順に有している。
【００１７】
上記シート状吸水層１５は、第１不織布シート２０と第２不織布シート２１との間に、吸水性樹脂粉末１４が挟持されており、この吸水性樹脂粉末１４は、第１不織布シート２０と第２不織布シート２１とに接着剤によって固着されている。なお、シート状吸水層１５は、パルプ繊維１６を含まないようにしている。
【００１８】
そして、シート状吸水層１５は、吸水性樹脂粉末１４を内包した吸水性樹脂粉末存在領域１５ａと吸水性樹脂粉末１４を内包しない吸水性樹脂粉末非存在領域１５ｂとを幅方向に交互に有していて、吸水性樹脂粉末非存在領域１５ｂの第１不織布シート２０と第２不織布シート２１とは相互に接合されて封止されている。すなわち、吸水性樹脂粉末存在領域１５ａは、吸水性樹脂粉末非存在領域１５ｂの封止によって、隣り合う吸水性樹脂粉末存在領域１５ａとは画成されることとなる。
【００１９】
上記第１不織布シート２０と第２不織布シート２１には、液透過性の不織布が用いられる。このような不織布を構成する繊維としては、セルロース、レーヨン、コットンなどの親水性繊維の他、ポリプロピレン、ポリエチレン、ポリエステル、ポリアミドなどの疎水性繊維の表面を界面活性剤で親水処理したものが使用可能である。
【００２０】
上記吸水性樹脂粉末１４の樹脂としては、例えば、ポリアクリル酸系、セルロース系、でんぷん・アクリロニトリル系などの吸水性樹脂が挙げられる。吸水性樹脂粉末１４の散布量は、その存在領域に対して１００ｇ／ｍ２以上、２５０ｇ／ｍ２以下とするのが好ましい。なお、吸水性樹脂粉末１４は、粉末状の物だけに限られず、繊維状の物も使用することができる。
【００２１】
上記繊維集合層１７Ａ，１７Ｂは、上記シート状吸水層１５の下部に二層で設けられていて、長時間の使用にも耐え得る吸水量を確保するためのものである。なお、一層であっても良い。
【００２２】
この繊維集合層１７Ａ，１７Ｂは、パルプ繊維１６とこの中に分散された吸水性樹脂粉末１４により主に構成され、これらを一体型に形成したものを薄葉紙（例えばティッシュペーパーなど）で包んで構成される。
【００２３】
繊維集合層を形成する繊維である解繊パルプ繊維１６としては、公知のパルプ繊維を用いることができ、保形性を高めるために用いられる熱融着性繊維としては、ポリエチレン、ポリプロピレン等のポリオレフィン系繊維やポリエステル系繊維や複合繊維等が挙げられる。
【００２４】
上記繊維集合層１７Ａ，１７Ｂ中に分散させる吸水性樹脂粉末１４としては、前述したシート状吸水層１５と同様のものを用いることができる。このときの吸水性樹脂の量は、繊維集合層に使用する解繊パルプ繊維量に対して１５質量％以上、９０質量％以下とするのが好ましい。
【００２５】
なお、繊維集合層１７Ａ，１７Ｂの全体的な平面形状は、用途に応じて適宜決定すればよく、例えば、ひょうたん型や長方形、砂時計型などの形状が挙げられる。
【００２６】
一方、上記シート状吸水層１５の両側に立ち上がりフラップ１８が設けられ、この立ち上がりフラップ１８の起立端部１８ａは、上記シート状吸水層１５の両側端部に位置する吸水性樹脂粉末非存在領域１５ｂ−１，１５ｂ−２に対応する表面シート１１に接着剤２２等で接合されている。
【００２７】
上記立ち上がりフラップ１８の立ち上がり端には、立ち上がり用弾性部材１９が添設されている。
【００２８】
この立ち上がりフラップ１８としては、撥水性若しくは液不透過性のシート材料を用いるのが好ましい。より好ましくは、上記撥水性不織布材料（スパンボンド不織布、メルトブローン不織布、ＳＭＳ不織布など）や通気性あるいは非通気性プラスティックフィルム（より好ましくは通気性プラスティックフィルム）やこれらの複合材料が用いられる。
【００２９】
上記のように使い捨て吸収性物品１０を構成すれば、立ち上がりフラップ１８の起立端部１８ａを、シート状吸水層１５の両側端部の吸水性樹脂粉末非存在領域１５ｂ−１，１５ｂ−２に対応する表面シート１１に接合することにより、立ち上がりフラップ１８の起立端部１８ａの近傍には、吸水性樹脂粉末存在領域１５ａが無くなって繊維集合層１７Ａ，１７Ｂのみとなるから、側臥位状態においても立ち上がりフラップ１８の起立端部１８ａの近傍に位置する繊維集合層１７Ａ，１７Ｂの吸収力を有効に利用できるので、排尿時の漏れを確実に防止できるようになる。また、起立端部１８ａの近傍に位置する繊維集合層１７Ａ，１７Ｂの部分に吸収性樹脂粉末１４を存在させないように吸収性樹脂粉末１４を偏在させ、吸収性樹脂粉末１４が膨潤して尿等の繰り返し吸収を阻害しないようにすることもできる。
【００３０】
また、使い捨て吸収性物品１０は、高い吸収性能を有しているため、長時間使用する場合であっても、逆戻りを低レベルに抑制でき、着用者の肌を汚染することなく、清潔に保つことができる。
【００３１】
さらに、上記立ち上がりフラップ１８の起立端部１８ａの間の寸法をＸ、上記シート状吸水層１５の両側端部に位置する吸水性樹脂粉末非存在領域１５ｂ−１，１５ｂ−２に最も近い吸水性樹脂粉末存在領域１５ａの間の寸法をＹとすると、上記ＸとＹの寸法関係が、Ｙ＝０．２Ｘ〜０．９Ｘであり、上記吸水性樹脂粉末存在領域１５ａの最外側縁から上記立ち上がりフラップ１８の起立端部１８ａまでの寸法をＺとすると、上記ＸとＺの寸法関係が、Ｚ＝０．０５Ｘ〜０．４Ｘであるようにすることが、上記漏れの防止をより確実にする点で好ましい。
【００３２】
図４は変形例であって、上記実施形態では、立ち上がりフラップ１８の起立端部１８ａは、シート状吸水層１５の両側端部に位置する吸水性樹脂粉末非存在領域１５ｂ−１，１５ｂ−２に対応する表面シート１１に接着剤２２等で接合したのに対して、シート状吸水層１５の両側端部に位置する吸水性樹脂粉末存在領域１５ａ，１５ａの直ぐ内側に位置する吸水性樹脂粉末非存在領域１５ｂ−３，１５ｂ−４に対応する表面シート１１に接着剤２２等で接合したものである。この変形例でも上記実施形態と同様の作用効果を奏することができる。
【図面の簡単な説明】
【００３３】
【図１】本発明に係る使い捨て吸収性物品の平面図である。
【図２】図１のＡ−Ａ線断面図である。
【図３】シート状吸水層の断面図である。
【図４】変形例の使い捨て吸収性物品の図１のＡ−Ａ線に相当する断面図である。
【図５】先行技術の使い捨て吸収性物品の断面図である。
【符号の説明】
【００３４】
１０    使い捨て吸収性物品
１１    表面シート
１２    裏面シート
１３    吸収マット
１４    吸水性樹脂粉末
１５    シート状吸水層
１５ａ  吸水性樹脂粉末存在領域
１５ｂ  吸水性樹脂粉末非存在領域
１５ｂ−１，１５ｂ−２  吸水性樹脂粉末非存在領域
１５ｂ−３，１５ｂ−４  吸水性樹脂粉末非存在領域
１６    パルプ繊維
１７Ａ，１７Ｂ  繊維集合層
１８    立ち上がりフラップ
１８ａ  起立端部
【図１】
2005253851.tif 000003
【図２】
2005253851.tif 000004
【図３】
2005253851.tif 000005
【図４】
2005253851.tif 000006
【図５】
2005253851.tif 000007